(57)【要約】【課題】エレベータの高速運転時、乗りかごが昇降路の狭隘部を通過するときに発生する空力騒音を効果的に減らせることが可能なエレベータ及びエレベータ１の騒音低減方法を提供する。【解決手段】エレベータ１が、複数のフロアを有する建物に設けられた昇降路２と、この昇降路２内を昇降する乗りかご５と、一対の電極を有し、これらの電極に印加される駆動電圧により電極間に発生する放電プラズマの作用によって気流を発生させるプラズマ気流発生装置１９と、このプラズマ気流発生装置１９へ印加される駆動電圧を制御することによりプラズマ気流発生装置１から発生する気流の量を制御し、乗りかご５の運転を制御する制御装置１２とを備え、プラズマ気流発生装置１９は昇降路２内の任意の狭隘部に設置される。【選択図】図１
2010155666.tif 000002
【特許請求の範囲】
【請求項１】
複数のフロアを有する建物に設けられた昇降路と、
この昇降路内を昇降する乗りかごと、
一対の電極を有し、これらの電極に印加される駆動電圧により前記電極間に発生する放電プラズマの作用によって気流を発生させるプラズマ気流発生装置と、
このプラズマ気流発生装置へ印加される前記駆動電圧を制御することにより前記プラズマ気流発生装置から発生する気流の量を制御し、前記乗りかごの運転を制御する制御装置と、を備え、
前記プラズマ気流発生装置は前記昇降路内の任意の狭隘部に設置されることを特徴とするエレベータ。
【請求項２】
前記昇降路の各フロアには、乗降口の三方枠とこの三方枠に固定されたヘッダーケースを含むドアマシンとが設けられ、前記プラズマ気流発生装置は、このヘッダーケースに設置されることを特徴とする請求項１記載のエレベータ。
【請求項３】
前記昇降路の各フロアの側端にはホールシルが据え付けられ、前記プラズマ気流発生装置は、このホールシルの前記昇降路側へ突出した突出部に設置されることを特徴とする請求項１記載のエレベータ。
【請求項４】
前記プラズマ気流発生装置は、前記昇降路内へ突出する建築梁に設置されることを特徴とする請求項１記載のエレベータ。
【請求項５】
複数のフロアを有する建物に設けられた昇降路と、
この昇降路内を昇降する乗りかごと、
この乗りかごに設けられ、一対の電極を有しこれらの電極に印加される駆動電圧により前記電極間に発生する放電プラズマの作用によって気流を発生させる第１のプラズマ気流発生装置と、
前記昇降路内の任意の狭隘部に設置され、一対の電極を有しこれらの電極に印加される駆動電圧により前記電極間に発生する放電プラズマの作用によって気流を発生させる第２のプラズマ気流発生装置と、
前記第１のプラズマ気流発生装置へ印加される前記駆動電圧およびこの第２のプラズマ気流発生装置へ印加される前記駆動電圧を制御することにより前記第１のプラズマ気流発生装置及び前記第２のプラズマ気流発生装置から発生する気流の量をそれぞれ制御し、前記乗りかごの運転を制御する制御装置と、を備え、
前記狭隘部に設けられた前記第２のプラズマ気流発生装置から噴出する気流の向きと、前記乗りかごに設けられた前記第１のプラズマ気流発生装置から噴出する気流の向きとが一致するように、これらの第１のプラズマ気流発生装置および第２のプラズマ気流発生装置が配置され、前記制御装置は、前記乗りかごが前記狭隘部を通過するとき、これらの第１のプラズマ気流発生装置および第２のプラズマ気流発生装置を一緒に駆動することを特徴とするエレベータ。
【請求項６】
一対の電極を有しこれらの電極に印加される駆動電圧により前記電極間に発生する放電プラズマの作用によって気流を発生させるプラズマ気流発生装置を、複数のフロアを有する建物に設けられた昇降路内の任意の狭隘部に設置するステップと、
前記昇降路内を昇降する乗りかごの運転を制御する制御装置が、この乗りかごを昇降運転するステップと、
前記制御装置が、前記乗りかごが前記昇降路の狭隘部を通過するときに、前記プラズマ気流発生装置へ印加される前記駆動電圧を制御して、このプラズマ気流発生装置から発生する気流の量を制御するステップと、を備えたことを特徴とするエレベータの騒音低減方法。
【請求項７】
一対の電極を有しこれらの電極に印加される駆動電圧によって前記電極間に発生する放電プラズマの作用により気流を発生させる第１のプラズマ気流発生装置を、複数のフロアを有する建物に設けられた昇降路内を昇降する乗りかごに設置するステップと、
一対の電極を有しこれらの電極に印加される駆動電圧によって前記電極間に発生する放電プラズマの作用により気流を発生させる第２のプラズマ気流発生装置を、前記昇降路内の任意の狭隘部に設置するステップと、
前記第１のプラズマ気流発生装置と前記第２のプラズマ気流発生装置とを、前記第１のプラズマ気流発生装置から噴出する気流の向きと、前記第２のプラズマ気流発生装置から噴出する気流の向きとが一致するように配置するステップと、
前記乗りかごの運転を制御する制御装置が、この乗りかごを昇降運転するステップと、
前記制御装置が、前記乗りかごが前記昇降路の狭隘部を通過するときに、前記第１のプラズマ気流発生装置へ印加される前記駆動電圧と、前記第２のプラズマ気流発生装置へ印加される前記駆動電圧とを制御して、これらの第１のプラズマ気流発生装置および第２のプラズマ気流発生装置から発生する気流の量をそれぞれ制御するステップと、を備えたことを特徴とするエレベータの騒音低減方法。
【請求項８】
前記制御装置が前記乗りかごを昇降運転するステップでは、
前記制御装置が、前記乗りかご内の呼び登録および乗り場ホールの呼び登録の各情報に基づきこの乗りかごの目的階を判断するステップと、
前記制御装置が、前記乗りかごを前記昇降路内で昇降動作させる駆動装置からかご位置情報を取得するステップと、
前記制御装置が、このかご位置情報を利用して前記乗りかごの現在の位置から前記目的階までの間に設置された一以上の前記プラズマ気流発生装置を選択し、選択した前記プラズマ気流発生装置をオンにするステップと、
前記制御装置が、選択した一以上の前記プラズマ気流発生装置のうち、前記乗りかごが通過した位置の前記プラズマ気流発生装置を、順次オフにするステップと、を備えることを特徴とする請求項６又は請求項７記載のエレベータの騒音低減方法。
【請求項９】
前記プラズマ気流発生装置を、前記昇降路内の任意の狭隘部に設置するステップでは、
前記プラズマ気流発生装置を、乗降口の上方に設けられたドアマシンのヘッダーケースと、この乗降口の下方に据え付けられたホールシルの前記昇降路側へ突出した突出部と、前記昇降路内へ突出する建築梁とのうちから選択される一つ又は二つ以上に設置することを特徴とする請求項８記載のエレベータの騒音低減方法。
【発明の詳細な説明】
【技術分野】
【０００１】
本発明はエレベータおよびエレベータの騒音低減方法に関する。
【背景技術】
【０００２】
ビルの高層化に伴い、ビルに設置されるエレベータに関しても高速化が進められている。高速エレベータでは、昇降時、かご周りの気流によって発生する空力騒音が問題になっている（例えば非特許文献１参照）。空力騒音を低減させるため、乗りかごの乗降口壁の下部に昇降方向に延在する延出板を整風カバーとして装着したエレベータ装置が知られている（例えば特許文献１参照）。また、エレベータの高速化に対応するため、乗り場側が平坦で他側が半球状のカプセルを乗りかごの上下にそれぞれ設け、上下のカプセルの間に整風板を取付けた技術も知られている（例えば特許文献２参照）。特許文献２に記載の技術は上下各カプセルの先端部を急峻な形状に改良したものである。頂部及びかご下カプセルを改良した技術は世界最高速のエレベータにも適用されており、乗りかごの走行により生じる空気流の大半をかご横及び背面に逃がすことにより騒音を低減させている（非特許文献２参照）。
【０００３】
狭い昇降路を乗りかごが高速走行する場合、昇降階毎のホールシルとかごシルとにより狭隘部が構成される。この狭隘部を乗りかごが通過する度に空気流が圧縮されて流速が大きくなり、局所的な空力騒音（バフ音）が発生し、乗りかご内の乗客や、乗り場で待機している乗客に対して不快感を与える。大きな騒音は、乗りかごの下部に取付けられた整風カバーの先端部分が昇降路内の狭隘部分に差し掛かった際に発生することが明らかにされている（非特許文献３参照）。乗りかごが狭隘部を通過する時、乗りかご下部の空気の圧力が増加し、かご正面へと回り込む空気の流速が加速して空気の圧力が低下する。淀み圧による空気の圧力増加と増速流に伴う圧力低下とが連続して起こることによって大きな圧力変動が生じる。この空力騒音に対し、上記特許文献２はカプセルを装着することが有効である点を開示する。カプセルからかご正面側へ流れ込む空気の流れが発生し、この流れの存在によって狭隘部を乗りかごが通過する際の増速流の影響が小さくなり、空力騒音が低減する。
【０００４】
従来、気流を発生させる装置に関しては、送風機から二次元噴流を噴出させる装置や、シンセティックジェットを利用した装置が知られている。放電プラズマの作用により気流を発生させる気流発生装置も提案されている（特許文献３、４参照）。特許文献３、４に記載の気流発生装置は、放電プラズマによる気流誘起現象により高温下や含塵環境下においても安定して気流を発生させることを可能とし、空気力学的特性の制御などを行えるようにしている。この気流発生装置を翼に設け、誘電体の表面に沿う誘起流によって、翼面上の空気の流れを加速制御する技術も提案されている（例えば非特許文献４〜６参照）。
【特許文献１】特許第３１００６８５号明細書
【特許文献２】特開２００５−１６２４９６号公報
【特許文献３】特開２００７−３１７６５６号公報
【特許文献４】特開２００８−１３５４号公報
【非特許文献１】松田寿、外４名、「高速エレベータの空力騒音に関する研究（乗りかご周りの流れに及ぼすエプロン部の影響）」、日本機械学会論文集（Ｂ編）、１９９３年８月、第５９巻第５６４号、ｐｐ．２４９４−２４９９
【非特許文献２】中川俊明、外３名、「世界最高速１，０１０ｍ／ｍｉｎエレベーター」、東芝レビュー、２００２年６月、ｖｏｌ．５７、Ｎｏ．６、ｐｐ．５８−６３
【非特許文献３】藤田善昭、外３名、「超高速エレベータの風音低減」、日本機械学会技術講演会、１９９７年１２月、Ｎｏ．９７−７６
【非特許文献４】田中元史、外１０名、「非平衡プラズマによる気流制御（第１報）−プラズマ誘起噴流による翼面剥離抑制効果−」、日本機械学会  第８５期  流体工学部門講演会、２００７年１１月、Ｎｏ．０７−１６、ＩＳＳＮ  １３４８−２８８２、ＯＳ５−１−５０３
【非特許文献５】松田寿、外９名、「非平衡プラズマによる気流制御（第２報）−パルス変調制御の効果−」、日本機械学会  第８５期  流体工学部門講演会、２００７年１１月、Ｎｏ．０７−１６、ＩＳＳＮ  １３４８−２８８２、ＯＳ５−１−５０４
【非特許文献６】松田寿、外９名、「非平衡プラズマによる気流制御(パルス変調制御の効果)」、日本機械学会論文集（Ｂ編）、２００８年８月、第７４巻第７４４号、Ｎｏ．０８−７００６
【発明の開示】
【発明が解決しようとする課題】
【０００５】
しかしながら、特許文献２に記載の技術では、かご上下のカプセル及びカプセル間の整風板を設け、この整風板に溝を形成し、更に、つり合いおもりを左右に分割し、各つり合いおもりの表面に溝を形成するなど、構造的な改良を行う必要があり、この構造的な改良を行うためにはコストがかかる。構造的な改良を行うことが昇降路のサイズ上の制約を受ける場合、この改良を適用することができない。エレベータの高速化が進み、快適化がますます要求される現状にあっては、このような構造的な改良だけでは空力騒音を効果的に低減させることができない場合がある。
【０００６】
そこで、本発明は、上記の課題に鑑み、エレベータの高速運転時、乗りかごが昇降路の狭隘部を通過するときに発生する空力騒音を効果的に減らせることができるエレベータおよびエレベータの騒音低減方法を提供することを目的とする。
【課題を解決するための手段】
【０００７】
このような課題を解決するため、本発明の一態様によれば、複数のフロアを有する建物に設けられた昇降路と、この昇降路内を昇降する乗りかごと、一対の電極を有し、これらの電極に印加される駆動電圧により前記電極間に発生する放電プラズマの作用によって気流を発生させるプラズマ気流発生装置と、このプラズマ気流発生装置へ印加される前記駆動電圧を制御することにより前記プラズマ気流発生装置から発生する気流の量を制御し、前記乗りかごの運転を制御する制御装置と、を備え、前記プラズマ気流発生装置は前記昇降路内の任意の狭隘部に設置されることを特徴とするエレベータが提供される。
【０００８】
また、本発明の別の一態様によれば、複数のフロアを有する建物に設けられた昇降路と、この昇降路内を昇降する乗りかごと、この乗りかごに設けられ、一対の電極を有しこれらの電極に印加される駆動電圧により前記電極間に発生する放電プラズマの作用によって気流を発生させる第１のプラズマ気流発生装置と、前記昇降路内の任意の狭隘部に設置され、一対の電極を有しこれらの電極に印加される駆動電圧により前記電極間に発生する放電プラズマの作用によって気流を発生させる第２のプラズマ気流発生装置と、前記第１のプラズマ気流発生装置へ印加される前記駆動電圧およびこの第２のプラズマ気流発生装置へ印加される前記駆動電圧を制御することにより前記第１のプラズマ気流発生装置及び前記第２のプラズマ気流発生装置から発生する気流の量をそれぞれ制御し、前記乗りかごの運転を制御する制御装置と、を備え、前記狭隘部に設けられた前記第２のプラズマ気流発生装置から噴出する気流の向きと、前記乗りかごに設けられた前記第１のプラズマ気流発生装置から噴出する気流の向きとが一致するように、これらの第１のプラズマ気流発生装置および第２のプラズマ気流発生装置が配置され、前記制御装置は、前記乗りかごが前記狭隘部を通過するとき、これらの第１のプラズマ気流発生装置および第２のプラズマ気流発生装置を一緒に駆動することを特徴とするエレベータが提供される。
【０００９】
また、本発明の別の一態様によれば、一対の電極を有しこれらの電極に印加される駆動電圧により前記電極間に発生する放電プラズマの作用によって気流を発生させるプラズマ気流発生装置を、複数のフロアを有する建物に設けられた昇降路内の任意の狭隘部に設置するステップと、前記昇降路内を昇降する乗りかごの運転を制御する制御装置が、この乗りかごを昇降運転するステップと、前記制御装置が、前記乗りかごが前記昇降路の狭隘部を通過するときに、前記プラズマ気流発生装置へ印加される前記駆動電圧を制御して、このプラズマ気流発生装置から発生する気流の量を制御するステップと、を備えたことを特徴とするエレベータの騒音低減方法が提供される。
【００１０】
また、本発明の別の一態様によれば、一対の電極を有しこれらの電極に印加される駆動電圧によって前記電極間に発生する放電プラズマの作用により気流を発生させる第１のプラズマ気流発生装置を、複数のフロアを有する建物に設けられた昇降路内を昇降する乗りかごに設置するステップと、一対の電極を有しこれらの電極に印加される駆動電圧によって前記電極間に発生する放電プラズマの作用により気流を発生させる第２のプラズマ気流発生装置を、前記昇降路内の任意の狭隘部に設置するステップと、前記第１のプラズマ気流発生装置と前記第２のプラズマ気流発生装置とを、前記第１のプラズマ気流発生装置から噴出する気流の向きと、前記第２のプラズマ気流発生装置から噴出する気流の向きとが一致するように配置するステップと、前記乗りかごの運転を制御する制御装置が、この乗りかごを昇降運転するステップと、前記制御装置が、前記乗りかごが前記昇降路の狭隘部を通過するときに、前記第１のプラズマ気流発生装置へ印加される前記駆動電圧と、前記第２のプラズマ気流発生装置へ印加される前記駆動電圧とを制御して、これらの第１のプラズマ気流発生装置および第２のプラズマ気流発生装置から発生する気流の量をそれぞれ制御するステップと、を備えたことを特徴とするエレベータの騒音低減方法が提供される。
【発明の効果】
【００１１】
本発明によれば、乗りかごが昇降路の狭隘部を通過するときに発生する空力騒音を効果的に減らせることができるようになる。
【発明を実施するための最良の形態】
【００１２】
以下、本発明の実施の形態に係るエレベータ及びこのエレベータの騒音低減方法について、図１乃至図１２を参照しながら説明する。尚、各図において同一箇所については同一の符号を付すとともに、重複した説明は省略する。
【００１３】
（第１の実施形態）
図１は本発明の第１の実施形態に係るエレベータの構成図である。エレベータ１は建屋の昇降路２を有し、この昇降路２内に巻上機３から垂下するロープ４の一端が乗りかご５に連結され、他端がカウンタウェイト６に連結されている。各階の乗り場ホール７の乗降口８を開閉するホールドア９に対応して乗りかご５にはかごドア１０が設けられている。かご室には各階床に対応する操作釦を表面に露出させたかご内操作盤が設けられており、かご室の外側壁面には停止階位置の検出用の着床スイッチが設けられている。
【００１４】
乗りかご５にはこのかご内操作盤への操作内容の処理、及びかご外部との制御信号の授受などを行うかご制御装置１１も設けられている。このかご制御装置１１と、制御盤１２との間では、図示しないテールコードあるいは無線を介して制御信号が授受可能にされている。かご制御装置１１への電力は、制御盤１２や昇降路２内の電源用装置などからテールコードを介して供給されている。また、乗りかご５の床部前端の敷居受けにはかごシル１３が設けられ、この敷居受けの前端には整流板１４が垂設されている。整流板１４は整流板あるいはエプロン兼用の整流板である。
【００１５】
制御盤１２は、乗りかご５のかご位置や昇降速度の検出、巻上機３の駆動モータに対する速度指令の実行、呼び登録処理、及び後述する気流発生装置のオンオフ制御と各気流発生装置からの気流の量の制御とのそれぞれを行う演算装置である。この演算装置はＣＰＵ、ＲＯＭ及びＲＡＭからなり、ＣＰＵがプログラムを実行することによりエレベータ１全体の運転制御が行われる。制御盤１２は、図示しない調速機に装着されたパルスジェネレータから、乗りかご５のかご位置を取得し、乗りかご５の昇降速度を求める。制御盤１２は、乗りかご５からの呼び登録や乗り場操作盤からの呼び登録を受け付けして呼び登録処理を行い、登録された階に乗りかご５を上下移動させるよう巻上機３へ駆動指令を与える。
【００１６】
乗り場操作盤は釦類を有し、各階の乗り場ホール７の乗降口８の付近に設置されている。乗降口８の三方枠の上方には、ホールドア９を開閉動作させる図示しないドアマシンが設けられている。このドアマシンはドア開閉方向に延設されたヘッダーケース１５と、例えばそれぞれ２本のハンガーレール及び４個のハンガーローラを介してこのヘッダーケース１５に対して移動自在な２つのドアハンガーと、それぞれこれらのドアハンガーに固定された２枚のドアパネルとを有する。このヘッダーケース１５から懸架された２枚のドアパネルによってホールドア９が構成されている。ホールドア９の下方には乗り場敷居であるホールシル１６が設けられている。ホールシル１６は昇降路２側へ突出した突出部位を有する。ホールシル１６の突出部位と、乗りかご５のかごシル１３とによって狭隘部が形成される。
【００１７】
また、ホールシル１６が据え付けられた階の高さと同じ高さの昇降路２の内壁面のうち、かご奥行き方向側の昇降路後方壁面１７には、建築梁などの突出物１８が形成されている。各階の高さ位置における昇降路空間は、各階間における昇降路空間よりも小さい。各階の高さ位置における昇降路２の奥行き寸法は、各階間における昇降路２の奥行き寸法よりも小さい。何ら対策がエレベータ装置に施されないと、乗りかご５が高速度で広い昇降路空間から狭い昇降路空間へ入る際、狭隘部において空気流がホールシル１６と干渉することにより乗りかご５にバフ音が生じる。
【００１８】
本実施形態に係るエレベータ１では、プラズマ気流発生装置である気流発生装置１９を各フロアのヘッダーケース１５に設置している。このエレベータ１においては、これとは別に気流発生装置１９を各フロアのホールシル１６の突出部に設置している。各気流発生装置１９には、装置の小型化と可制御性とを考慮して、放電プラズマの作用により気流を発生させる気流発生装置（特許文献３、４参照）が用いられている。気流発生装置１９は、長尺状の誘電体と、それぞれこの誘電体内に埋設され、誘電体の長手方向と平行に配設された一対の電極と、これらの電極間に電圧を印加する電圧印加機構とを備える。気流発生装置１９を、この誘電体の長手方向に直交する面で切断したときの断面構造を図２に示す。
【００１９】
図２は放電プラズマを利用した気流発生装置１９の横断面構造を示す図である。気流発生装置１９は、誘電体２０と、この誘電体２０の表面から深さ方向で所定位置に埋設された第１の電極２１と、この電極２１と誘電体２０の幅方向に隣接して配設され、誘電体２０内にこの誘電体２０の表面から電極２１の埋設位置と深さ方向で同じ深さの位置に埋設された第２の電極２２と、これらの電極２１、２２に接続された２本のケーブル２３と、これらのケーブル２３を介して電極２１、２２間に電圧を印加する放電用電源２４とから構成されている。誘電体２０にはガラスやポリイミドやゴムなどの電気的絶縁材料が用いられる。電極２１、２２には一般的な銅板が使用されており、誘電体を含む気流発生装置１９自体の厚みが数１００μｍ以下になるようにされている。
【００２０】
これにより気流発生装置１９では、放電用電源２４から、電極２１、２２間に電圧が印加され、電極２１、２２間の電位差が一定の閾値以上になると、電極２１と電極２２との間に放電が起こり、電極２１、２２両付近に気流である誘起流２５が発生する。この誘起流２５の大きさや向きは、電極２１、２２に印加する電圧、周波数、電流波形、デューティ比などの電流電圧特性を変化させることで制御可能である。
【００２１】
図３は誘起流２５の速度変化の一例を示す図である。電極２１、２２間に交番電圧又は交流電圧を印加することで、持続的に誘起流２５を発生させることが可能になっている。図３の例では、電極２１側に向かう誘起流（図２では左側に向かう誘起流）と、電極２２側に向かう誘起流（図２では右側に向かう誘起流）とが対称的に発生している。それぞれの方向に向かう誘起流の流速はほぼ等しい値を有する。
【００２２】
また、ヘッダーケース１５およびホールシル１６には、図４に示す電極配置構造を有する気流発生装置を設置してもよい。図４は放電プラズマを利用した他の気流発生装置の横断面構造を示す図である。気流発生装置２６は、誘電体２０と、この誘電体２０の表面と同一面の電極上面を有し誘電体２０内に埋設された第１の電極２１と、この電極２１と誘電体２０の幅方向に隣接して配設され、誘電体２０内にこの誘電体２０の表面から深さ方向に向かって所定位置に埋設された第２の電極２２と、２本のケーブル２３と、放電用電源２４とから構成されている。気流発生装置２６は、電極２１の上面を誘電体２０の表面と同一面に露出させている点で、電極２１の上面を誘電体２０内に埋没させている気流発生装置１９と異なる。
【００２３】
これにより気流発生装置２６では、放電用電源２４が電極２１、２２間に所定値以下の周波数の交流電圧や交番電圧を印加すると、図５に示す波形を持つ誘起流２７が発生する。図５は気流発生装置２６によって発生する誘起流２７の速度変化の一例を示す図であり、図４の電極２１から電極２２に向かう向きを正の値としている。電極２２側から電極２１側に向かう誘起流（図４では左側に向かう誘起流）と、電極２１側から電極２２側に向かう誘起流（図４では右側に向かう誘起流）とが発生している。気流発生装置２６の表面、すなわち、誘電体２０の表面に沿って誘起流２７の流れる方向が時間進行に伴い反転している。それぞれの方向に向かう誘起流２７の流速は異なる。流速方向は時間に対し交互に入れ替わり波形が振動する。
【００２４】
また、図６に、気流発生装置２６によって発生する誘起流２７の速度変化波形の別の一例を示す。気流発生装置２６へ印加される電圧の値が調整されたうえで放電用電源２４が印加を行うと、図６に示すような波形の流速を持つ誘起流２７が発生する。図６の流速の時間平均をとって得られる平均値は正又は負の値である。放電用電源２４への印加電圧を変えることによって、気流発生装置２６に、一方向に流れる誘起流２７を発生させることが可能にされている。
【００２５】
この気流発生装置１９又は２６を用いることにより、非常に薄い層状の空気の流れを面に沿って一方向に発生させること、及びこの流れをこの方向と反対側の方向に発生させることを切り替え可能である。以下の説明では、特に断らない限り、ヘッダーケース１５及びホールシル１６にいずれも気流発生装置１９が取付けられた場合の例について言及するものとする。気流発生装置２６をこれらのヘッダーケース１５及びホールシル１６に取付けた場合の例も気流発生装置１９の例と同じである。
【００２６】
気流発生装置１９は、図２に示したような電極構成を備え、セラミックなどの絶縁物を基盤としたモジュール構造を有する。この絶縁物がヘッダーケース１５やホールシル１６にねじ止めあるいは接着剤で固定されている。制御盤１２は、気流発生装置１９へ印加される駆動電圧を制御することによって気流発生装置１９から発生する気流の量を制御している。
【００２７】
各フロアにおいては、ホールドア９の上側及び下側にそれぞれ気流発生装置１９が位置する。それぞれの上面１９ａが昇降路２を向くようにして２つの気流発生装置１９はヘッダーケース１５及びホールシル１６に固定されている。
【００２８】
ホールドア９の上側の気流発生装置１９は、この気流発生装置１９の長手方向が、ヘッダーケース１５の延設方向と平行になるようにしてこのヘッダーケース１５に固定されている。ホールドア９の下側の気流発生装置１９は、この気流発生装置１９の長手方向が、ホールシル１６の延設方向と平行になるようにこのホールシル１６の突出部に固定されている。各気流発生装置１９には壁体内の配線を介して電力を供給されており、供給された電力が放電用電源２４に相当する高電圧電源として使われる。制御盤１２はこの高電圧電源から各気流発生装置１９の２つの電極２１、２２へ電圧の向きや大きさを変更可能にされている。
【００２９】
ホールドア９の上下一対の気流発生装置１９が上下互いに異なる方向にシート状の薄い気流を発生させるよう制御盤１２はこれらの気流発生装置１９に電圧を印加する。制御盤１２による電圧制御により、ヘッダーケース１５側の気流発生装置１９は、気流を昇降路２の下方に向けて発生させる。このヘッダーケース１５側の気流発生装置１９は乗りかご５の上昇時に駆動される。ホールシル１６側の気流発生装置１９は、気流を昇降路２の上方に向けて発生させる。このホールシル１６側の気流発生装置１９は乗りかご５の下降時に駆動される。気流発生装置１９からの気流は、ファンなどによる強制通風式の装置によって生成された風と異なり、板面の表面上を一定の速度で流れ出るものである。
【００３０】
本実施形態に係るエレベータ１の騒音低減方法は、気流発生装置１９を、狭隘部としてのヘッダーケース１５及びホールシル１６の突出部に設置し、制御盤１２は乗りかご５を昇降運転する。制御盤１２は乗りかご５がこの狭隘部を通過するときに、各気流発生装置１９へ印加される駆動電圧を制御することによりこれらの気流発生装置１９から発生する気流の量を制御する。
【００３１】
なお、これらの気流発生装置１９をヘッダーケース１５及びホールシル１６に設ける代わりに、各気流発生装置２６をそれぞれ図４の上面２６ａが昇降路２を向くようにしてこれらに固定してもよい。制御盤１２は、各気流発生装置２６を気流発生装置１９の例と同様に制御する。
【００３２】
このような構成の本実施形態に係るエレベータ１における気流発生装置１９の制御方法について述べる。図１の制御盤１２は、乗りかご５が下層階に位置する際に登録された目的階の呼びをＲＡＭに設定し、乗りかご５を上昇運転する。制御盤１２は、かご位置から目的階までの間に位置する各階のヘッダーケース１５に固定された気流発生装置１９を制御対象として選択し、これらの気流発生装置１９をオンにする。全てのヘッダーケース１５上の気流発生装置１９から、乗りかご５の移動方向とは逆方向の下向きに気流が発生する。乗りかご５が上昇中、乗りかご５の上部から剥離してかご正面に流れ込む空気の流れがかご廻りに拡散し、上部からかごドアの前面へ向かう空気の流れの量が減る。圧力変動が緩和され、結果的に空力騒音が抑制される。
【００３３】
また、制御盤１２は常時かご位置を取得しており、通過中の乗りかご５の最寄りの階を検出している。図７は本実施形態に係るエレベータ１による騒音低減方法を説明するための図である。同図に示される符号のうち上述した符号と同じ符号を有する要素はそれらと同じものを表す。制御盤１２は、図７に示すように、通過階を通過するまで、同階のヘッダーケース１５の気流発生装置１９をオンにし続ける。制御盤１２がオン指令を出力する時間は乗りかご５の走行速度や乗りかご５寸法に応じて決められる。制御盤１２はかご位置情報より、上昇中の乗りかご５が階床位置から遠ざかったことを検知すると、同階の気流発生装置１９をオフにする。
【００３４】
引き続き、制御盤１２は、オフにした気流発生装置１９の上の階を乗りかご５が通過したことを検知すると、この階のヘッダーケース１５に固定された気流発生装置１９をオフにする。この階以降、制御盤１２は、乗りかご５が目的階までの各階を通過した後、各階のヘッダーケース１５に固定された気流発生装置１９をオフにする。制御盤１２は各階の気流発生装置１９のオフを順次繰り返す。このようにして、乗りかご５が昇降路２の狭隘部を上昇して通過するときに発生する空力騒音を、固定側に設けられた気流発生装置１を用いて効果的に減らせることができるようになる。
【００３５】
エレベータ１が乗りかご５を下降運転する場合の動作内容も上昇運転の場合の例と同様である。制御盤１２は、呼び登録処理を行ったときの乗りかご５のかご位置から下階の目的階までの間の各階床のホールシル１６に固定された気流発生装置１９を選択し、これらをオンにする。各気流発生装置１９は上向きに気流を発生させる。制御盤１２はかご位置を常時取得し、取得したかご位置に基づき通過中の乗りかご５の最寄りの階を検出している。制御盤１２はかご位置情報より、下降中の乗りかご５が階床位置から遠ざかったことを検知すると、通過階のホールシル１６の気流発生装置１９をオフにする。この階以降、制御盤１２は、通過階から目的階までの各階の気流発生装置１９をオフにする。制御盤１２はこの気流発生装置１９のオフを順次繰り返す。これにより、乗りかご５の上部から剥離してかご正面に流れ込む空気の流れがかご廻りに拡散し、上部からかごドアの前面へ向かう空気の流れの量が低減する。
【００３６】
このように、エレベータ１の制御盤１２は、乗りかご５のかご位置から目的階までの間に設置されたプラズマ気流発生装置をオンにし、乗りかご５が通過した後のプラズマ気流発生装置を順次オフにするよう制御する。このようにして、本実施形態に係るエレベータ１及びエレベータ１の騒音低減方法によれば、空力騒音を効果的に減らせることができるようになる。
【００３７】
（第１の実施形態の第１変形例）
上記第１の実施形態において、気流発生装置１９のオンオフ制御の態様は種々変更可能である。
【００３８】
制御盤１２は呼び登録処理を行った時の乗りかご５の最寄りの階から目的階までの各階の気流発生装置１９を選択し、これらを一旦全てオンにした後、通過後オフにしているが、乗りかご５が目的階に着床したことを制御盤１２が検出したときに、オンにした全ての気流発生装置１９をオフにするようにしてもよい。このようにすれば、制御盤１２は、ＲＡＭ上の呼び情報のみを用いて、気流発生装置１９のオンオフ制御を行える。
【００３９】
（第１の実施形態の第２変形例）
また、上記第１の実施形態では、制御盤１２は、乗りかご５の呼び登録を行った時のかご位置から目的階までの間に設置された気流発生装置１９を一旦全てオンにし、乗りかご５が各階の気流発生装置１９の位置を通過する度に、気流発生装置１９をオフにしていたが、制御盤１２は、選択した全ての気流発生装置１９をオフにしておき、乗りかご５が通過する直前に当該階の気流発生装置１９だけをオンにし、かご通過後、気流発生装置１９をオフにするようにする。
【００４０】
一例として、かご下降時、整流板１４の下端が各階のヘッダーケース１５の高さ位置から所定距離上方の範囲内に入ったことを制御盤１２が検知するようにし、制御盤１２は乗りかご５がこの範囲を通過中、気流発生装置１９をオンにし続ける。乗りかご５が当該階を通過したことを制御盤１２が検知すると、制御盤１２はオン状態の気流発生装置１９の状態をオフにする。かご上昇時には、かご上端が各階のホールシル１６の高さ位置から所定距離下方の範囲内に入ったことを制御盤１２が検知するようにしてヘッダーケース１５の気流発生装置１９をオンするタイミングを決める等行う。
【００４１】
このような構成により、制御盤１２は、各階のヘッダーケース１５の気流発生装置１９と、ホールシル１６の気流発生装置１９とを常時オンにせずに、乗りかご５が通過するときだけオンにし、乗りかご５が通過した後は気流発生装置１９をオフにして休眠させる。各気流発生装置１９をオンさせ続ける時間は、乗りかご５の走行速度、乗りかご５の寸法、階間距離、ヘッダーケース１５及びホールシル１６間の距離に応じて決められる。乗りかご５の下降時、制御盤１２は、乗りかご５の下端がヘッダーケース１５の気流発生装置１９の取付け位置に達する瞬間、あるいはその直前からホールシル１６に固定された気流発生装置１９を動作させ始める。乗りかご５の上昇時、制御盤１２は、乗りかご５の上端がホールシル１６の気流発生装置１９の位置に達する瞬間、あるいはその直前からヘッダーケース１５の気流発生装置１９を動作させ始める等して強制整流を行う。
【００４２】
このようなオンオフスイッチングを制御盤１２が行うことによって、エレベータ１の運転に消費される電力を減らすことができる。また、気流発生装置１９の負荷を減らすことができる。気流発生装置１９の耐久性を向上させることができるため、各気流発生装置１９の長寿命化も図れる。
【００４３】
（第１の実施形態の第３変形例）
上記第１の実施形態では、気流発生装置１９をヘッダーケース１５及びホールシル１６にそれぞれ設けていたが、本発明の第１の実施形態の第３変形例に係るエレベータは、気流発生装置１９がヘッダーケース１５だけに設置されたエレベータである。各階のヘッダーケース１５の昇降路２側の面にそれぞれ一つの気流発生装置１９が設けられている。各気流発生装置１９の長手方向が水平方向になるようにしてこれらはヘッダーケース１５に固定される。一つの気流発生装置１９が上向きあるいは下向きに気流を切り替えて発生させるようにしている。制御盤１２が一つの気流発生装置１９に対して印加する電圧を変えることにより、この気流発生装置１９に上向きの気流と、下向きの気流とを発生させるようにする。
【００４４】
このような構成により、制御盤１２は、乗りかご５の下降時、呼び登録を行った時のかご位置から目的階までの各階のヘッダーケース１５の気流発生装置１９をそれぞれオンにする。これらの気流発生装置１９はいずれも上向きの気流を発生させる。制御盤１２は乗りかご５が各階のヘッダーケース１５を通過した後、あるいは乗りかご５の目的階への着床を検出した後に、オンにした全ての気流発生装置１９をオフにする。制御盤１２は、乗りかご５の上昇時、各気流発生装置１９に、下向きの気流を発生させるようこれらの気流発生装置１９へ電圧を印加するとともに、かご下降時の制御と同様の制御を各気流発生装置１９へ行う。
【００４５】
このように、各階の気流発生装置１９がいずれも電圧駆動により、上方向及び下方向のうちのいずれか一方に気流を発生させるため、第１の実施形態の例で得られた効果と同じ効果を得られる。
【００４６】
また、この変形例に係るエレベータは、気流発生装置１９がホールシル１６だけに設置されたエレベータでもよい。制御盤１２がこのホールシル１６に取付けられた気流発生装置１９に対して印加する電圧を変えることにより、この気流発生装置１９に上向きの気流と、下向きの気流とを発生させるようにする。各階のホールシル１６の気流発生装置１９はいずれも制御盤１２による電圧駆動により、上方向及び下方向のうちのいずれか一方に気流を発生させる。このようにしても同様の効果を得られる。
【００４７】
（第２の実施形態）
図８は本発明の第２の実施形態に係るエレベータの構成図である。同図中、上述した符号と同じ符号を有する要素はそれらと同じものを表す。第１の実施形態では、昇降路２の前壁と後壁とのうちの前壁側に気流発生装置１９が設けられていたが、本実施形態に係るエレベータ１Ａは、気流発生装置１９を後壁側に取付けている。複数の気流発生装置１９は、これらの気流発生装置１９の長手方向が、いずれもホールシル１６の延設方向と平行になるようにして昇降路後方壁面１７側にねじ止めあるいは接着剤で固定されている。それぞれの上面が昇降路２のかご走行路を向くようにして各気流発生装置１９は昇降路後方壁面１７の各突出物１８に固定されている。
【００４８】
１つの突出物１８には、互いに上下平行に配置された２つの気流発生装置１９が固定される。２つの気流発生装置１９のうちの上側の気流発生装置１９は気流を上向きに発生させるように制御されており、下側の気流発生装置１９は気流を下向きに発生させるように制御されている。制御盤１２は、それぞれ上向き気流を発生させる複数の気流発生装置１９のうち、呼び登録を行った時のかご位置に基づき、このかご位置より下方の目的階までの各階の気流発生装置１９を選択し、これらの気流発生装置１９をオンにするとともに、残りの気流発生装置１９をオフにしておくようにしている。制御盤１２は、それぞれ下向き気流を発生させる複数の気流発生装置１９のうち、呼び登録を行った時のかご位置に基づき、このかご位置より上方の目的階までの各階の気流発生装置１９を選択し、これらの気流発生装置１９をオンにするとともに、残りの気流発生装置１９をオフにしておくようにしている。
【００４９】
このような構成のエレベータ１Ａにおいて、乗りかご５の上昇運転時、制御盤１２は、呼び登録を行った時のかご位置から目的階までの各階の気流発生装置１９をオンにする。各階の突出物１８に固定された一方の気流発生装置１９がオンにされる。各気流発生装置１９は下向きに気流を発生させる。制御盤１２は、各階の気流発生装置１９の位置を乗りかご５が通過した後オフにする。あるいは制御盤１２は各階の気流発生装置１９を、乗りかご５が目的階に着床したときにオフにする。あるいは制御盤１２は、各階の気流発生装置１９をオフにしておき、かご通過時所定時間オンにし続けた後オフにするようにしてもよい。
【００５０】
また、乗りかご５の下降運転時、制御盤１２は呼び登録を行った時のかご位置から目的階までの各階の気流発生装置１９をオンにする。各階の突出物１８に固定された他方の気流発生装置１９がオンになり、各気流発生装置１９からは上向きに気流が発生する。制御盤１２は、かご通過後各気流発生装置１９をオフにする。乗りかご５が各階を通過後にプラズマオフにする方法、あるいは乗りかご５が目的階に着床したときにプラズマオフにする方法、あるいは各階の気流発生装置１９をオフにしておきかご通過時所定時間オンにし続けた後プラズマオフにする方法を制御盤１２は用いる。
【００５１】
本発明のこの実施形態に係るエレベータ１Ａ及びエレベータ１Ａの騒音低減方法によれば、乗りかご５の背面が例えばカウンタウェイトとすれ違うときに発生する空力騒音を減らすことができる。
【００５２】
（第３の実施形態）
図９は本発明の第３の実施形態に係るエレベータの構成図である。同図中、上述した符号と同じ符号を有する要素はそれらと同じものを表す。本実施形態に係るエレベータ１Ｂは、前方側及び後方側の両昇降路壁面に気流発生装置１９を取付けして構成されている。ヘッダーケース１５の昇降路２側の面と、ホールシル１６の突出部と、昇降路後方壁面１７側の突出物１８とのそれぞれに気流発生装置１９が固定されている。各突出物１８には２つの気流発生装置１９が固定される。
【００５３】
各ヘッダーケース１５の気流発生装置１９が発生させる気流の方向は下向きである。それぞれが常時下向きに気流を発生可能な状態でこれらの気流発生装置１９はヘッダーケース１５に固定されている。各ヘッダーケース１５の気流発生装置１９は乗りかご５の上昇時に駆動される。各ホールシル１６の気流発生装置１９が発生させる気流の方向は上向きである。それぞれが常時上向きに気流を発生可能な状態でこれらの気流発生装置１９はホールシル１６に固定されている。各ホールシル１６の気流発生装置１９は乗りかご５の下降時に駆動される。
【００５４】
一例として、各突出物１８に固定された２つの気流発生装置１９のうちの上側の気流発生装置１９が発生させる気流の方向は上向きである。突出物１８のこれらの上側の気流発生装置１９は乗りかご５の下降時に駆動される。各突出物１８に固定された２つの気流発生装置１９のうちの下側の気流発生装置１９が発生させる気流の方向は下向きである。突出物１８のこれらの下側の気流発生装置１９は乗りかご５の上昇時に駆動される。
【００５５】
このような構成のエレベータ１Ｂにおいて、乗りかご５の上昇運転時、制御盤１２は呼び登録を行った時のかご位置と目的階との間の各階のヘッダーケース１５に固定された気流発生装置１９と、各階の突出物１８に固定された下側の気流発生装置１９とを選択し、これらの気流発生装置１９をそれぞれオンにする。これらの気流発生装置１９は下向きに気流を発生させる。かご通過後、制御盤１２は、ヘッダーケース１５及び突出物１８に固定された２つの気流発生装置１９をオフにする。制御盤１２が各気流発生装置１９をオフにするタイミングは、乗りかご５が各階を通過後にプラズマオフにしたり、あるいは乗りかご５が目的階に着床したときにプラズマオフにしたり、あるいは各階の気流発生装置１９をオフにしておきかご通過時所定時間オンにし続けた後プラズマオフにするなどのタイミングを制御盤１２は用いる。
【００５６】
また、乗りかご５の下降運転時、制御盤１２は呼び登録を行った時のかご位置と目的階との間の各階のホールシル１６に固定された気流発生装置１９と、各階の突出物１８に固定された上側の気流発生装置１９とを選択し、これらの気流発生装置１９をそれぞれオンにする。これらの気流発生装置１９は上向きに気流を発生させる。かご通過後、制御盤１２は、ホールシル１６及び突出物１８に固定された２つの気流発生装置１９をオフにする。各気流発生装置１９をオフにするタイミングはかご上昇時のタイミングと同様である。
【００５７】
建屋梁の張り出しにより、各階において階面による昇降路断面の断面積は、階間における同断面積よりも小さい。乗りかご５が高速に走行する時、この乗りかご５と昇降路壁面とによっても狭隘部が形成される。本発明のこの実施形態に係るエレベータ１Ｂ及びエレベータ１Ｂの騒音低減方法によれば、この狭隘の度合いに応じて、ヘッダーケース１５、ホールシル１６及び突出物１８に固定された各気流発生装置１９からの気流の発生量を変えるなど行うことができる。
【００５８】
（第４の実施形態）
図１０は本発明の第４の実施形態に係るエレベータの構成図である。同図中、上述した符号と同じ符号を有する要素はそれらと同じものを表す。本実施形態に係るエレベータ１Ｃは、昇降路２内の階間の任意の狭隘部に気流発生装置１９を設置している。建物梁などの突出物２８が昇降路２内に形成されており、この突出物２８に気流発生装置１９が固定されている。制御盤１２のＲＯＭには、突出物２８の高さ位置の情報が記憶されており、制御盤１２はかご位置がこの突出物２８の高さ位置である場合、この突出物２８の気流発生装置１９から気流を上向き又は下向きに発生可能にされている。
【００５９】
例えば制御盤１２のＲＯＭのメモリテーブルには、昇降路２内の高さ方向の複数の位置と、これらの位置ごとに各気流発生装置１９をオンするかどうかを示す情報とが対応付けられて記憶されてある。制御盤１２は、このメモリテーブルの内容と、乗りかご５の現在のかご位置とに基づいて、気流発生装置１９に対し、動作のオン又はオフを指令するようにしている。具体的には、このメモリテーブルには、昇降中の乗りかご５の室内で騒音が発生する昇降路２内の高さ方向の複数の位置情報と、オン又はオフの制御情報とが予め書き込まれている。位置情報とは、各階の狭隘部の高さ位置や、昇降路後方壁面１７の突出物１８、２８の高さ位置である。
【００６０】
このような構成によって、乗りかご５の上昇時及び下降時それぞれ制御盤１２は呼び登録を行った時のかご位置と目的階との間の各階の気流発生装置１９を選択し、これらの気流発生装置１９をオンにする。乗りかご５が突出物２８を通過した後、この突出物２８の気流発生装置１９をオフにし、更に階床通過後に各階床の気流発生装置１９もオフにする。あるいは乗りかご５の目的階への着床が検知されたときに制御盤１２は突出物２８の気流発生装置１９をオフにするようにしてもよい。あるいは突出物２８の気流発生装置１９に乗りかご５が接近したときだけこの気流発生装置１９をオンにするように制御盤１２は制御を行ってもよい。この場合、制御盤１２は突出物２８と乗りかご５との距離が決められた距離よりも小さくなったと判断すると、突出物２８の気流発生装置１９をオンにする。乗りかご５が突出物２８を通過後、制御盤１２はこの気流発生装置１９をオフにする。
【００６１】
本発明のこの実施形態に係るエレベータ１Ｃ及びエレベータ１Ｃの騒音低減方法によれば、建築物の構造に応じて狭隘部が形成される任意の箇所に気流発生装置１９を設置することができるため、騒音対策の作業が行い易くなる。
【００６２】
（第５の実施形態）
上記各実施形態及び各変形例では、気流発生装置１９は固定的に設置されていたが、気流発生装置１９は乗りかご５側に設けられてもよい。図１１は本発明の第５の実施形態に係るエレベータの構成図である。同図中、上述した符号と同じ符号を有する要素はそれらと同じものを表す。本実施形態に係るエレベータ２９は、乗りかご５にもプラズマ気流発生装置を備え、昇降路２内、および乗りかご５に設置された各プラズマ気流発生装置から噴出する気流の向きが一致するように配置されている。
【００６３】
気流発生装置１９の上面１９ａが昇降路２を向くようにして、この気流発生装置１９は整流板１４に固定されている。制御盤１２がかご制御装置１１に指令を通知し、このかご制御装置１１が整流板１４上の気流発生装置１９へ印加する電圧を変えることにより、この気流発生装置１９に上向きの気流と、下向きの気流とを発生させるようにしている。
【００６４】
各階のヘッダーケース１５に固定された気流発生装置１９が発生させる気流の方向は上向き及び下向きである。これらの気流発生装置１９は、乗りかご５の上昇時には下向きに気流を発生させ、乗りかご５の下降時には上向きに気流を発生させる。上向き又は下向きの気流発生方向は制御盤１２からの印加電圧によって制御される。
【００６５】
各階のホールシル１６に固定された気流発生装置１９が発生させる気流の方向は上向き及び下向きである。これらの気流発生装置１９は、乗りかご５の上昇時には下向きに気流を発生させ、乗りかご５の下降時には上向きに気流を発生させる。上向き又は下向きの気流発生方向は制御盤１２からの印加電圧によって制御される。
【００６６】
また、本実施形態に係るエレベータ２９の騒音低減方法は、気流発生装置１９を乗りかご５側に設置し、別の気流発生装置１９を、ヘッダーケース１５及びホールシル１６の突出部といった狭隘部に設置し、これらの各気流発生装置１９を、乗りかご５側の気流発生装置１９から噴出する気流の向きと、狭隘部側の気流発生装置１９から噴出する気流の向きとが一致するように配置しておく。制御盤１２は、乗りかご５を昇降運転し、この乗りかご５が狭隘部を通過するときに、各気流発生装置１９へ印加される駆動電圧を制御することにより、これらの気流発生装置１９から発生する気流の量をそれぞれ制御するようにしている。
【００６７】
制御盤１２が乗りかご５を昇降運転するステップでは、制御盤１２は、乗りかご５及び乗り場ホール７からの各呼び登録に基づき乗りかご５の目的階を判断し、巻上機３、ロープ４、カウンタウェイト６及び調速機などからなる駆動装置からかご位置情報を取得する。制御盤１２は、かご位置情報を利用して乗りかご５の現在位置から目的階までの間に設置された複数個の気流発生装置１９を選択し、選択した各気流発生装置１９をオンにし、選択した気流発生装置１９のうち、乗りかご５が通過した位置に存在する気流発生装置１９を、順次オフにするようにしている。
【００６８】
このような構成の本実施形態に係るエレベータ２９において、乗りかご５の上昇運転時、制御盤１２は呼び登録を行った時のかご位置から目的階までの各階の気流発生装置１９を選択してこれらをオンにする。制御盤１２は、各階の気流発生装置１９を乗りかご５が通過後オフにする。あるいは制御盤１２は各階の気流発生装置１９を、乗りかご５が目的階に着床したときにオフにする。あるいは制御盤１２は、各階の気流発生装置１９をオフにしておき、かご通過時所定時間オンにし続けた後オフにする。これと連動させて、制御盤１２はかご制御装置１１に対して指令を送り、かご制御装置１１は整流板１４の気流発生装置１９をオンオフ制御する。乗りかご５上の気流発生装置１９から下向きに気流が発生する。昇降路２内の２つの気流発生装置１９と乗りかご５の気流発生装置１９とからそれぞれ同じ下向きに気流が噴出する。
【００６９】
また、乗りかご５の下降運転時、制御盤１２は呼び登録を行った時のかご位置から目的階までの各階の気流発生装置１９をオンにする。各階のヘッダーケース１５の気流発生装置１９と、ホールシル１６の気流発生装置１９とがオンにされるとともに、乗りかご５の気流発生装置１９へ向けてオン指令が送られる。これによって、ヘッダーケース１５の気流発生装置１９と、ホールシル１６の気流発生装置１９と、乗りかご５上の気流発生装置１９とはいずれも同じ上向きに気流を発生させる。制御盤１２は、３つの気流発生装置１９を所定時間オンにし続けた後オフにする。
【００７０】
換言すれば、狭隘部に設けられた気流発生装置１９から噴出する気流の向きと、乗りかご５に設けられた気流発生装置１９から噴出する気流の向きとが一致するように、これらの気流発生装置１９が配置されている。制御盤１２は、乗りかご５が狭隘部を通過するとき、これらの気流発生装置１９を一緒に駆動する。
【００７１】
本発明のこの実施形態に係るエレベータ２９及びエレベータ２９の騒音低減方法によれば、騒音低減効果を高めることができる。エレベータ２９の設置時あるいは改修時に昇降路２内の各階のヘッダーケース１５及びホールシル１６にそれぞれ気流発生装置１９を全て設置しておくことにより、固定設置された全ての気流発生装置１９のうち必要なものだけを使い、不要な気流発生装置１９は不使用にしておくなど独立して各階の気流発生装置１９を使うことができる。例えば騒音が発生する必要な階に設けられたヘッダーケース１５、ホールシル１６の気流発生装置１９だけを、かご側の気流発生装置１９と連動させてオンさせて騒音を減らす等する。
【００７２】
（第６の実施形態）
また、気流発生装置１９を乗りかご５に設けられるとともに、昇降路２内の階間の任意の狭隘部に気流発生装置１９を設けてもよい。図１２は本発明の第６の実施形態に係るエレベータの構成図である。同図中、上述した符号と同じ符号を有する要素はそれらと同じものを表す。
【００７３】
本実施形態に係るエレベータ２９Ａは、昇降路２と、この昇降路２を昇降しプラズマ気流発生装置を備えた乗りかご５と、昇降路２内に形成された建物梁などの突出物２８と、この突出物２８に固定された気流発生装置１９とを備える。乗りかご５のかご制御装置１１は制御盤１２から、気流発生方向付きの駆動指令を通知されるようにされている。かご制御装置１１がこの駆動指令を受け、整流板１４上の気流発生装置１９へ印加する電圧を変えることによって、整流板１４に固定された気流発生装置１９は、上向きの気流と、下向きの気流とを切り替えて発生させるようになっている。この気流発生装置１９は、乗りかご５の上昇時には下向きに気流を発生させ、乗りかご５の下降時には上向きに気流を発生させる。
【００７４】
また、昇降路２内の突出物２８に固定された気流発生装置１９は、制御盤１２からの印加電圧に応じて上向き又は下向きに気流を発生させるものである。この突出物２８の気流発生装置１９は、乗りかご５の上昇時には下向きに気流を発生させ、乗りかご５の下降時には上向きに気流を発生させる。つまり、昇降路２内および乗りかご５に設置された各気流発生装置１９から噴出する気流の向きが一致するように各気流発生装置１９が配置されている。
【００７５】
このような構成のエレベータ２９Ａが乗りかご５を上昇運転する場合、制御盤１２は呼び登録を行った時のかご位置から目的階までの各階の気流発生装置１９を選択してこれらをオンにするとともに乗りかご５の気流発生装置１９へ向けてオン指令を送る。これらの気流発生装置１９は下向きに気流を発生させる。固定側の気流発生装置１９と移動側の気流発生装置１９とが連動して、下向きに気流を発生させる。制御盤１２は、各気流発生装置１９を所定時間後オフにする。
【００７６】
また、乗りかご５の下降運転時、制御盤１２は呼び登録を行った時のかご位置から目的階までの各階の気流発生装置１９を選択してこれらをオンにするとともに乗りかご５の気流発生装置１９へ向けてオン指令を送る。ヘッダーケース１５の気流発生装置１９と、ホールシル１６の気流発生装置１９と、乗りかご５上の気流発生装置１９とはいずれも同じ上向きに気流を発生させる。制御盤１２は、各気流発生装置１９を所定時間オンにし続けた後オフにする。
【００７７】
本発明のこの実施形態に係るエレベータ２９Ａ及びエレベータ２９Ａの騒音低減方法によれば、階間距離や乗りかご５の寸法あるいは構造物の空間構成などに応じて騒音対策を行うことができる。
【００７８】
（他の実施形態）
尚、本発明は上記実施形態そのままに限定されるものではなく、実施段階ではその要旨を逸脱しない範囲で構成要素を変形して具体化できる。本発明の実施の形態に係るエレベータは、ヘッダーケース１５、ホールシル１６の突出部、及び建築梁１８、２８のうち、任意のものを単独、または組み合わせて備えてもよい。
【００７９】
上記実施形態では、気流発生装置１９は乗りかご５の下部に取付けられていたが、この気流発生装置１９は乗りかご５の上側あるいは上側及び下側の両方に取付けてもよい。
【００８０】
また、上記の実施形態では、乗りかご５に垂設された整流板１４はエプロン板あるいはエプロン板兼用整流板であり、気流発生装置１９はこのエプロン板あるいはエプロン板兼用整流板に取付けられていたが、エプロン部はエプロン板と整流板とが別個に構成されてもよく、気流発生装置１９を整流板側に取付けてもよい。
【００８１】
また、本発明の実施の形態に係るエレベータは、乗りかご５の上端部と下端部とにそれぞれこれらの上端部及び下端部を覆う整風カバーを取付けてもよく、気流発生装置１９を上部整風カバーだけ、あるいは下部整風カバーだけ、あるいは上部整風カバー及び下部整風カバーの両方に取付けてもよい。整風カバーは、昇降路２の乗り場ホール７側を向く面と、後方壁面１７側を向く面とを有し、好ましくはこの乗り場ホール７側を向く面が平坦であり、後方壁面１７側を向く面が半球状又は傾斜面にされる。
【００８２】
図２、図４に示す一対の電極２１、２２の形状は、断面が円、矩形などの棒状などでもよい。これらの電極２１、２２の形状は互いに同じ形状であっても、異なる形状であってもよい。上記実施形態では、制御盤１２が気流発生装置１９の制御を行っていたが、乗りかご５のかご制御装置１１がこの制御の全部又は一部の機能を行うようにしてもよい。
【００８３】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８４】
【図１】本発明の第１の実施形態に係るエレベータの構成図である。
【図２】放電プラズマを利用した気流発生装置の横断面構造を示す図である。
【図３】誘起流の速度変化の一例を示す図である。
【図４】放電プラズマを利用した他の気流発生装置の横断面構造を示す図である。
【図５】図４の気流発生装置によって発生する誘起流の速度変化波形の一例を示す図である。
【図６】図４の気流発生装置によって発生する誘起流の速度変化波形の別の一例を示す図である。
【図７】本発明の第１の実施形態に係るエレベータによる騒音低減方法を説明するための図である。
【図８】本発明の第２の実施形態に係るエレベータの構成図である。
【図９】本発明の第３の実施形態に係るエレベータの構成図である。
【図１０】本発明の第４の実施形態に係るエレベータの構成図である。
【図１１】本発明の第５の実施形態に係るエレベータの構成図である。
【図１２】本発明の第６の実施形態に係るエレベータの構成図である。
【符号の説明】
【００８５】
１，１Ａ，１Ｂ，１Ｃ，２９，２９Ａ…エレベータ、２…昇降路、３…巻上機（駆動装置）、４…ロープ（駆動装置）、５…乗りかご、６…カウンタウェイト（駆動装置）、７…乗り場ホール、８…乗降口、９…ホールドア、１０…かごドア、１１…かご制御装置（制御装置）、１２…制御盤（制御装置）、１３…かごシル、１４…整流板、１５…ヘッダーケース、１６…ホールシル、１７…昇降路後方壁面、１８，２８…突出物、１９，２６…気流発生装置（プラズマ気流発生装置）、１９ａ，２６ａ…上面、２０…誘電体、２１，２２…電極、２３…ケーブル、２４…放電用電源、２５，２７…誘起流（気流）。
【図１】
2010155666.tif 000003
【図２】
2010155666.tif 000004
【図３】
2010155666.tif 000005
【図４】
2010155666.tif 000006
【図５】
2010155666.tif 000007
【図６】
2010155666.tif 000008
【図７】
2010155666.tif 000009
【図８】
2010155666.tif 000010
【図９】
2010155666.tif 000011
【図１０】
2010155666.tif 000012
【図１１】
2010155666.tif 000013
【図１２】
2010155666.tif 000014